(57)【特許請求の範囲】
【請求項１】
少なくとも前板、底板、後板、天板、差し込み板からなるブランクのそれぞれの面を折れ線により内側に折り込み、前記前板と差し込み板とを重ねて形成した四角筒状の外箱の中に、複数個の個装袋を部分的に接着して収納してなる包装体において、前記外箱に複数本の分割線を設け、該分割線により前記外箱を分割することにより、前記個装袋と、前記個装袋を各々に収納する複数個の個装外箱とからなる複数個の個包装体に分割することを可能にした包装体であって、
前記前板と前記差し込み板とを重ねて接着し、前記前板と前記差し込み板とを重ねた部分が、切り取り可能な切れ目を前記前板に設け、該切れ目により前記前板と前記差し込み板とを重ねた部分を切り取り、前記前板と前記個装袋との間隙に前記差し込み片を差し込むことにより前記個包装体の再封を可能としたことを特徴とする包装体。
【請求項２】
前記分割線がミシン目と切れ線との組合せからなることを特徴とする請求項１に記載の包装体。
【請求項３】
前記分割線がミシン目とスリットとの組合せからなることを特徴とする請求項１に記載の包装体。
【請求項４】
前記個装袋に収納された内容物が、たばこであることを特徴とする請求項１乃至３のいずれかに記載の包装体。
【発明の詳細な説明】
【０００１】
【産業上の利用分野】
本発明は、主にスティック状の内容物、例えば、たばこ、チョコレート、板ガムなどを収納する、包装体に関するもので、詳しくは２個以上に分割可能な包装体に関するものである。
【０００２】
【従来の技術】
従来、スティック状の内容物を収納する代表的な包装体として、例えば、たばこの包装については、たばこを包装している包か用紙と、その上部を折り込んで形成した折り込み部を止めている封緘紙と、そしてその包装した包か用紙全体を、密封包装している透明フィルムとで構成されている。内容物のたばこを取り出す場合には、封緘紙を切り裂き内容物のたばこ等を取り出す形式となっている。また、板紙の箱に収納された形のものもある。
いずれにしても、たばこ、チョコレート、板ガムなどのスティック状の内容物を収納する包装形態においては、複数本の内容物が１単位となって１個の包装体に収納されている。
【０００３】
【発明が解決しようとする課題】
しかしながら、従来の複数本の内容物が１単位となって１個の包装体に収納されている包装体では、いずれの形態においても、一度封緘紙を切り裂き、開封してたばこを取り出した後の再封が十分ではなく、防湿性が低下し、そのまま保管した場合には、内容物の香料などが飛散したり、湿気を帯びて風味が落ちてしまう。従って、一度開封した後は、１包装体の内容物は、全て消費することになってしまい、不経済であると同時に食べすぎ、あるいは吸いすぎるという点が問題であった。
【０００４】
本発明は、前述の問題点に鑑みてなされたもので、複数本の内容物を収納した２個以上に小分けされた個装袋を外箱に収納し、この外箱を分割線で簡単に切り離すことにより、個装袋と、個装袋を各々に収納する個装外箱とからなる２個以上の個包装体に分割できる包装体を提供するものである。
【０００５】
【課題を解決するための手段】
前記課題を解決するためになされた本発明は、少なくとも前板、底板、後板、天板、差し込み板からなるブランクのそれぞれの面を折れ線により内側に折り込み、前記前板と差し込み板とを重ねて形成した四角筒状の外箱の中に、複数個の個装袋を部分的に接着して収納してなる包装体において、前記外箱に複数本の分割線を設け、該分割線により前記外箱を分割することにより、前記個装袋と、前記個装袋を各々に収納する複数個の個装外箱とからなる複数個の個包装体に分割することを可能にした包装体であって、前記前板と前記差し込み板とを重ねて接着し、前記前板と前記差し込み板とを重ねた部分が、切り取り可能な切れ目を前記前板に設け、該切れ目により前記前板と前記差し込み板とを重ねた部分を切り取り、前記前板と前記個装袋との間隙に前記差し込み片を差し込むことにより前記個包装体の再封を可能としたことを特徴とする包装体である。
【０００６】
また、前記分割線がミシン目と切れ線との組合せからなること、あるいは、前記分割線がミシン目とスリットとの組合せからなることを特徴とする。
【０００８】
さらにまた、前記個装袋に収納された内容物が、たばこであることを特徴とする
【０００９】
本発明によれば、複数本の内容物を収納した２個以上の個装袋を収納した外箱を分割線で簡単に切り離すことにより、一つ一つの小分けされた個包装体に分割できる包装体を得ることができる。
【００１０】
【発明の実施の形態】
以下に、図面を参照しながら、本発明についての発明の実施の形態について詳しく説明する。
【００１１】
図１は本発明の包装体の一実施例を示す斜視図である。この包装体１Ａは、分割可能な１個の外箱２と２個の個装袋３ａ、３ｂとから構成されている。分割線４により、個装外箱２ａと個装袋３ａ、個装外箱２ｂと個装袋３ｂとの２つの個包装体１Ａａ、１Ａｂに分割される。
【００１２】
本実施例の包装体１Ａの外箱２は、図２に示すような形状の１枚のブランク１０Ａを組み立てることにより形成される。ここで、ブランク１０Ａに使用される材料は、主に板紙であり、組み立てた状態で内容物を保護できるような適度な剛性を備えている必要があり、厚みが０．２〜１．０ｍｍの範囲であることが好ましい。また、好適な板紙の種類としては、コートボール、マニラボール（アイボリー、カード紙など）などがあげられる。
【００１３】
ブランク１０Ａでは、図２に示すように、前板１１、底板１２、後板１３、天板１４、差し込み板１５を順次、それぞれの折れ線ａ、ｂ、ｃ、ｄを介して連設している。そして、前板１１、底板１２、後板１３、天板１４、差し込み板１５に渡って中央部に連続した分割線４を設けている。この分割線４により、前板１１、底板１２、後板１３、天板１４、差し込み板１５は、それぞれ前板１１ａと前板１１ｂ、底板１２ａと底板１２ｂ、後板１３ａと後板１３ｂ、天板１４ａと天板１４ｂ、差し込み板１５ａと差し込み板１５とに分けられる。この分割線４は、切れ線、ミシン目、スリット、リード線を単独あるいは組み合わせて、連続的あるいは断続的に設け、適宜設定することができるが、本実施例の包装体１Ａでは、前板１１と底板１２の一部に渡る部分および差し込み板１５と天板１４の一部に渡る部分は、連続した切れ線とし、残りの部分、即ち底板１２の一部と後板１３と天板１４の一部に渡る部分は、連続したミシン目とした。当然、切れ線の部分が多い方が、あるいは図３に示すようなスリットにする方が、分割しすくなるが、反面、分割前に形が損なわれやすくなる。従って、バランスのとれた分割線４を設定する必要がある。また、差し込み板１５ａ、１５ｂの先端には、差し込み片１６ａ、１６ｂを設け、一方、前板１１ａ、１１ｂには差し込み片１６ａ、１６ｂを差し込む差し込み口１７ａ、１７ｂを設けている。さらに、後板１３ａ、１３ｂの上部に罫線により折れ線ｅを設けている。この折れ線ｅを設ける意味は、包装体１Ａａ、１Ａｂを開封した後に、この折れ線ｅより上部即ち差し込み板１５ａ、１５ｂと天板１４ａ、１４ｂと後板１３ａ、１３ｂの一部を外側に折り曲げることにより、個装袋３ａ、３ｂの首部を露出することができ、首部のカットテープをカットし、開封しやすくしている。
【００１４】
本発明の包装体１Ａの個装袋３ａ、３ｂの一例として、たばこを包装した例を示すと、図４に示すように、複数本のたばこ２４を直接包装する内包紙２２と、その内包紙２２の外側を包む包か用紙２１と、さらにその包か用紙２１を包む透明なフィルム２５とからなっている。図５が、包か用紙２１の展開図であり、この形状の１枚のブランク２０でたばこ２４を包装した内包紙２２の外側を包む。ここで、ブランク２０に使用される材料は、主に紙であり、包んだ状態で内容物を保護できるような適度な柔軟性を備えている必要があり、厚みが０．０２〜０．２０ｍｍの範囲であることが好ましい。また、好適な紙の種類としては、コート紙、アート紙などがあげられる。
いずれにしろ、本発明の包装体１Ａにおいて、個装袋３ａ、３ｂは、概ね直方体であって、個装外箱内に収納できればよく、材料、構成、包装形態などについて特に限定されるものではない。
【００１５】
図６は図１のＰ−Ｐ断面を示した断面図である。この包装体１Ａでは、個装袋３ａの外側を個装外箱２が包む形となっており、外箱２の後板１３と個装袋３ａ、３ｂとが接着部Ｈ１で部分的に接着されている。
【００１６】
図７において、この包装体１Ａの組み立て方法の一例として、たばこの包装について説明する。この包装体１Ａの組み立ては、あらかじめ、複数本のたばこを包装した２個の個装袋３ａ、３ｂを作製しておき、この２個の個装袋３ａ、３ｂを１個の外箱２で包装する。
【００１７】
この個装袋３ａ、３ｂの作製は、図４に示すように、複数本のたばこ２４を内包紙２２で包装し、この内包紙２２を包か用紙２１で概ね直方体になるような形状に包装し、その包か用紙２１を折り込んでその中央部を封緘紙２３で糊付けする。さらに、この包か用紙２１の外側を透明なフィルム２５により包装する。この場合、開封しやすいように、首部にカットテープを設け、フィルム包装を開封しやすくしている。
【００１８】
つぎに、外箱２の材料の板紙を用いて、打ち抜き、同時に各折れ線となる罫線の加工をし、図２に示す形状にブランク１０Ａを製造する。
【００１９】
つづいて、図７−ａに示すように、そのブランク１０Ａの前板１１、底板１２、後板１３、天板１４、差し込み板１５を、中の個装袋３ａ、３ｂを包むようにそれぞれの折れ線ａ、ｂ、ｃ、ｄによって内側に折り曲げ、差し込み板１５を前板１１の上部に重ねて図７−ｂに示すような直方体の形状とする。その個装袋３ａ、３ｂを外箱２で包む際に、個装袋３ａ、３ｂと外箱２とを部分的に接着剤で接着する。本発明の包装体１Ａにおいては、外箱２の後板１３と個装袋３ａ、３ｂとを部分的に接着している。
【００２０】
さらに、この個装袋３ａ、３ｂを包んだ外箱２の外側を透明なフィルムで包装してもよい。
【００２１】
実際に、本発明の包装体１Ａを開封して使用するには、まず、最外側の透明なフィルム包装を開封する。つぎに、外箱２に設けた分割線４を引き裂いて、図８−ａに示すように、２個の個包装体１Ａａ、１Ａｂに分割する。分割しないで１個の包装体１Ａのまま使用することもできる。分割された２個の個包装体１Ａａ、１Ａｂは、別々に使用することができ、個包装体１Ａａを例にとると、図８−ｂに示すように、前板１１ａと底板１２ａを外側に折り、そして、差し込み板１５ａと天板１４ａと後板１３ａの一部を外側に折り、個装袋３ａの首部を露出し、首部のカットテープをカットして開封することができる。開封後には、差し込み片１６ａを差し込み口１７ａに差し込むことにより、図８−ｃに示すように、再封することができる。分割後に、個装袋３ａを外箱２ａから剥がして取り外し、外箱２ａのない個装袋３ａにして使用してもよい。
いずれにしても、全体の量を２回に分けて消費することができるため、吸い残しの本数が少なくなり、吸い過ぎを防ぐことになる。
【００２２】
つぎに、図９は本発明の包装体の別の実施例である包装体１Ｂを示す斜視図であり、図１０はその包装体１Ｂを構成する板紙からなるブランク１０Ｂを示す展開図である。図１〜２に示す包装体１Ａと同一または同様な部分には同一符号を付けて示している。
【００２３】
本実施例の包装体１Ｂは、図１０に示すような形状の１枚のブランク１０Ｂを組み立てることにより形成される。その形状は若干異なっており、差し込みの形式が異なり、差し込み板１５と前板１１の上部とを接着する形状となっている。
【００２４】
ブランク１０Ｂでは、図１０に示すように、前板１１、底板１２、後板１３、天板１４、差し込み板１５を順次、それぞれの折れ線ａ、ｂ、ｃ、ｄを介して連設している形状などは前実施例のブランク１０Ａと同様である。異なる部分としては、差し込み片１６ａ、１６ｂの形状を半円形としている。この差し込み片１６ａ、１６ｂの形状は、半円形以外に、台形、三角形などであってもよい。また、前板１１ａの上部に山形の切れ目１８ａ、１８ｂを設けている。この切れ目１８ａ、１８ｂは、本実施例の包装体１Ｂでは、Ｌ字状の切れ目としているが、Ｌ字状の切れ目以外に、ミシン目、半切れ、リード罫などでもよい。切れ目１８ａ、１８ｂの形状としても、山形以外に、半円形、直線形、Ｖ字形などであってもよい。実際に包装する時には、差し込み板１５ａ、１５ｂと前板１１ａ、１１ｂの上部とを斜線の部分で接着する。
【００２５】
図１１において、この包装体１Ｂの組み立て方法について説明する。この包装体１Ｂの組み立ては、包装体１Ａと同様に、あらかじめ、複数本のたばこを包装した２個の個装袋３ａ、３ｂを作製しておき、この２個の個装袋３ａ、３ｂを１個の外箱２で包装する。
【００２６】
まず、材料の板紙を打ち抜き、同時に各折れ線を形成し、図１０に示す形状のブランク１０Ｂを製造する。
【００２７】
つぎに、図１１−ａに示すように、そのブランク１０Ｂの前板１１、底板１２、後板１３、天板１４、差し込み板１５を、中の個装袋３ａ、３ｂを包むようにそれぞれの折れ線ａ、ｂ、ｃ、ｄによって内側に折り曲げ、差し込み板１５を前板１１の上部に重ねて接着部Ｈ２で部分的に接着し、図１１−ｂに示すような直方体の形状とする。その個装袋３ａ、３ｂを外箱２で包む際に、個装袋３ａ、３ｂと外箱２とを接着部Ｈ１で部分的に接着剤で接着する。本発明の包装体１Ｂにおいては、前板１１と後板１３において、外箱２と個装袋３ａ、３ｂとを部分的に接着している。
【００２８】
さらに、この個装袋３ａ、３ｂを包んだ外箱２の外側を透明なフィルムで包装してもよい。
【００２９】
実際に、包装体１Ｂを使用するには、まず、包装体１Ａと同様に、最外側の透明なフィルム包装を開封する。つぎに、外箱２に設けた分割線４を引き裂いて、２個の個包装体１Ｂａ、１Ｂｂに分割する。個包装体１Ｂａを例にとると、図１２に示すように、差し込み片１６ａを指で摘まんで前板１１ａの上部を切れ目１８ａで切り取り、開封する。前板１１ａの上部から切り取った後、差し込み板１５ａと天板１４ａと後板１３ａの上部を、後板１３ａに設けた折れ線により外側に折ることによって、個装袋３ａの首部が露出され、首部のカットテープを容易にカットすることができる。再封は、差し込み片１６ａを前板１１ａと個装袋３ａとの間隙に差し込むことによって可能となる。
いずれにしても、全体の量を２回に分けて消費することができるため、吸い残しの本数が少なくなり、吸い過ぎを防ぐことになる。
【００３０】
なお、本発明の包装体は、上記のたばこの包装の実施例に限定されるものではなく、チョコレート、板ガムなどスティック状の内容物に広く利用できるものである。
【００３１】
【発明の効果】
本発明によれば、複数本の内容物を収納した２個以上の個装袋を収納した外箱を分割線で簡単に切り離すことにより一つ一つの小分けされた個包装体に分割できる包装体を得ることができる。小分けされた個包装体に分割できることにより、１個の包装体であっても、小分けされた個包装体の量ずつ開封し、消費することができるため、開封後に中に残してそのまま保管し、内容物の風味の低下をきたしたり、また、１個の包装体に収納された内容物を１度に消費する必要がなく、小分けされた個包装体の量ずつ消費すればよく、食べすぎ、あるいは吸いすぎを防ぐことができる。
【図面の簡単な説明】
【図１】本発明の包装体の一実施例を示す斜視図である。
【図２】本発明の包装体の一実施例の外箱のブランクを示す展開図である。
【図３】本発明の包装体の一実施例の外箱のブランクの別の分割線の例を示す展開図である。
【図４】本発明の包装体の一実施例の個装袋を示す斜視図である。
【図５】本発明の包装体の一実施例の個装袋の包か用紙のブランクを示す展開図である。
【図６】本発明の包装体の一実施例を示す図１のＰ−Ｐ断面図である。
【図７】本発明の包装体の一実施例の組み立てを説明する図である。
【図８】本発明の包装体の一実施例の開封を説明する図である。
【図９】本発明の包装体の別の実施例を示す斜視図である。
【図１０】本発明の包装体の別の実施例の外箱のブランクを示す展開図である。
【図１１】本発明の包装体の別の実施例の組み立てを説明する図である。
【図１２】本発明の包装体の別の実施例の開封を説明する図である。
【符号の説明】
１Ａ包装体（一実施例）
１Ｂ包装体（別の実施例）
１Ａａ個包装体（一実施例）
１Ｂｂ個包装体（別の実施例）
２  外箱
２ａ個装外箱
２ｂ個装外箱
３ａ個装袋
３ｂ個装袋
４  分割線
１０Ａブランク（一実施例）
１０Ｂブランク（別の実施例）
１１  前板
１１ａ前板（分割後）
１１ｂ前板（分割後）
１２  底板
１２ａ底板（分割後）
１２ｂ底板（分割後）
１３  後板
１３ａ後板（分割後）
１３ｂ後板（分割後）
１４  天板
１４ａ天板（分割後）
１４ｂ天板（分割後）
１５  差し込み板
１５ａ差し込み板（分割後）
１５ｂ差し込み板（分割後）
１６  差し込み片
１６ａ差し込み片（分割後）
１６ｂ差し込み片（分割後）
１７  差し込み口
１７ａ差し込み口（分割後）
１７ｂ差し込み口（分割後）
１８  切れ目
１８ａ切れ目（分割後）
１８ｂ切れ目（分割後）
２０  ブランク（包か用紙）
２１  包か用紙
２２  内包紙
２３  封緘紙
２４  たばこ（内容物）
２５  フィルム
Ｈ１  接着部
Ｈ２  接着部
【図１】
0004270613.tif 000002
【図２】
0004270613.tif 000003
【図３】
0004270613.tif 000004
【図４】
0004270613.tif 000005
【図５】
0004270613.tif 000006
【図６】
0004270613.tif 000007
【図７】
0004270613.tif 000008
【図８】
0004270613.tif 000009
【図９】
0004270613.tif 000010
【図１０】
0004270613.tif 000011
【図１１】
0004270613.tif 000012
【図１２】
0004270613.tif 000013